【事件の表示】
　平成　９年特許願第　３４１２８号「情報再生装置、情報再生方法及び情報記録媒体」拒絶査定不服審判事件〔平成１０年　９月　２日出願公開、特開平１０−２３３０８１〕について、次のとおり審決する。
【結　論】
　本件審判の請求は、成り立たない。
【理　由】
１．手続の経緯、本願発明
　
　本願は、平成９年２月１８日の出願であって、その請求項１乃至６に係る発明は、平成１５年１０月６日付け手続補正により補正された明細書の、特許請求の範囲の請求項１乃至６に記載されたとおりのものであると認められるところ、請求項１に係る発明（以下、「本願発明」という。）は、次のとおりである。
　
「【請求項１】　インターネットを介して、一又は複数の情報サーバと情報通信可能とされ、セットされる情報再生媒体の情報記憶領域に、前記情報サーバ内に備えられ複数の情報再生媒体にも共通して関連する関連情報を有するホームページのアドレス情報が記憶された当該情報再生媒体を再生する情報再生装置であって、
　前記情報再生媒体がセットされると、そのセットされた情報再生媒体に記憶されている情報を読み取る読取手段としてのピックアップと、
　前記ピックアップにより前記情報再生媒体から情報が読み取られると、読み取られた前記情報の中から、前記アドレス情報を取得するアドレス情報取得手段と、
　前記アドレス情報取得手段で前記アドレス情報が取得されると、当該アドレス情報に基づいて、前記インターネットを介して前記情報サーバに備えられている前記ホームページに自動的にアクセスすることにより、前記ホームページから前記情報再生媒体に関連する関連情報を取得する関連情報取得手段と、を備えることを特徴とする情報再生装置。」
　
　
２．引用例
　
（１）第１引用例
　これに対し、前置審査における平成１５年７月３１日付け拒絶理由通知で引用された、本願出願前に頒布された刊行物である、特開平８−１４７９４８号公報（以下、「第１引用例」という。）には、図面とともに次の技術事項が記載されている。
　
（ａ）
「【請求項１】  データベースを有するホスト局と通信回線で信号の入出力ができるオートチェンジャー装置であって、システム制御部と、新規ディスク収納通知を前記システム制御部より入力するデータ管理部と、データメモリーと、前記データ管理部から新規データの取得要求を受けて、ホスト局への通信回線接続を行い、ホスト局のデータベースにアクセスして、前記データ管理部から要求された新規データを取得し、前記データメモリーに蓄積する通信制御部とを備えたオートチェンジャー装置。
【請求項２】  通信制御部は、データ管理部からの新規データ要求を蓄積しており、手動操作などによってホスト局への通信回線接続が行われた後に、ホスト局のデータベースアクセスを行って、前記データ管理部から要求された新規データを取得する機能を有する請求項１記載のオートチェンジャー装置。
【請求項３】  ホスト局のデータベースへのアクセスは、ディスクにあらかじめ記録されているＩＤコードを用いて行うことを特徴とする請求項１記載のオートチェンジャー装置。」（特許請求の範囲）
　
（ｂ）図２を参照して「従来例」が説明されているが、「実施例」と共通する部分が含まれるので摘記する。
「【０００１】
【産業上の利用分野】本発明は光ディスク再生機のオートチェンジャー装置に関するものである。
【０００２】
【従来の技術】近年、オートチェンジャー装置は、特に光ディスク再生の分野で注目されている。
【０００３】以下に、従来のオートチェンジャー装置について、ＣＤ再生用のオートチェンジャー装置を例にとって説明する。
【０００４】図２はこの従来のオートチェンジャー装置のブロック図を示すものである。図２において、２１はシステム制御部であり、ディスクを再生するディスク再生部２２と複数のディスクを収納するディスク収納部２３を制御する。２５はデータ入力部を示し、使用者がこれを操作することでデータが入力され、システム制御部２１を介してデータメモリー２６に入力され記憶される。２４は表示部を示し、データメモリー２６に記憶されたデータをシステム制御部２１を介して入力し使用者に表示して報知する。
（中略）
【０００６】ディスク収納部２３は、システム制御部２１からの制御により、指定された位置に収納されているディスクを取り出してディスク再生部２２に装着したり、逆に、取り外して収納する機能を持ち、ディスク再生部２２は、システム制御部２１からの制御により、装着されたディスクを再生する機能を持つ。
【０００７】データメモリー２６には収納されているディスクに関するデータが記録されており、システム制御部２１はデータメモリー２６のデータを参照して、収納されているディスクに関する収納番号、タイトル名、収録曲名などのデータを表示部２４に表示している。データ入力部２５を通じて入力されたディスク収納番号、曲番号などの再生曲指定データは、システム制御部２１に送られ、システム制御部２１がディスク収納部２３とディスク再生部２２を制御して、再生曲指定データで指定された曲を再生する。」
　
（ｃ）このような「従来例」の課題として次の記載がある。
「使用者が新しいディスクをオートチェンジャー装置に収納しようとしたとき、そのディスクに関するデータをデータメモリー２６に入力しなければならない。ディスクのタイトル名や収録曲名などのデータを入力することは、一般の使用者にとって繁雑な作業であり、また、間違いも起こしやすいという問題点を有していた。」（第０００８段落）
　
（ｄ）
「本発明は上記した構成により、新しいディスクを収納する場合に、通信制御部を通じて、ホスト局に存在するデータベースから、自動的にデータを取得してデータメモリーに追加記録することによって、使用者を繁雑なデータ入力作業から開放することができる。」（第００１１段落）
　
（ｅ）「実施例」の構成及び動作は次のとおりである。
「【００１３】図１は本発明の第１の実施例におけるオートチェンジャー装置のブロック図を示すものである。図１において、２はディスク再生部、３はディスク収納部であり、システム制御部１によって制御されている。以上は従来例と同様なものである。６はデータ管理部であり、データメモリー７を管理して、システム制御部１の要求に従ってデータを送り出している。４は表示部を示し、システム制御部１から送られた収納ディスクに関するデータを表示する。５はデータ入力部で、使用者の指令をシステム制御部１に送っている。８は通信制御部であり、データ管理部６の制御によって、通信回線１１の接続操作を行い、ホスト局９に存在するデータベース１０にアクセスする。データベース１０には、市場に流通しているディスクに関するデータが蓄積されており、ディスクのＩＤコードなどによってデータを引き出すことができる。
（中略）
【００１５】図１において、データメモリー７には、収納されているディスクの収納番号、タイトル名、収録曲名などのデータが記録されており、システム制御部１はデータ管理部６を通じてそのデータを取得し、表示部４に表示する。データ入力部５から、再生曲指定データがシステム制御部１に送られると、システム制御部１はディスク再生部２及びディスク収納部３を制御して、再生曲指定データで指定された曲が再生される。
【００１６】データ入力部５から、新しいディスクの収納作業指令がシステム制御部１に入力された場合には、システム制御部１は、まずディスク収納部３を制御して新しいディスクをディスク再生部２に装着し、次にディスク再生部２を制御してディスクに記録されているＩＤコードを読み取り、そのディスクの収納番号を新規ディスク収納作業中であることの通知と共にデータ管理部６に送る。
【００１７】データ管理部６では、受け取ったＩＤコードを通信制御部８に送り、通信制御部８に対して新規データ取得を指令する。
【００１８】次に、通信制御部８は通信回線１１の接続操作を行って、ホスト局９への通信経路を確立し、ホスト局９に前記のＩＤコードを送ることによって、データベース１０から新しいディスクに関するデータを受け取ってデータ管理部６に送る。
【００１９】データ管理部６は、通信制御部８から受け取ったデータと、システム制御部１から受け取った収納番号をデータメモリー７に追加記録する。
【００２０】上記の処理の間、使用者が行う操作は新規ディスクの収納指令操作だけである。」
　
　上記記載事項及び図面を総合勘案し、特に「実施例」として記載される発明を中心に、必要に応じて「従来例」の部分を援用すると、上記第１引用例には、次の発明（以下、「引用発明」という。）が記載されているとすることができる。
　
「データベースを有するホスト局と通信回線で信号の入出力ができる、ＣＤ等の光ディスク再生機のオートチェンジャー装置であって、
　ディスク再生部、
　ディスク収納部、
　システム制御部、
　データメモリー、
　前記データメモリーを管理して、前記システム制御部の要求に従ってデータを送り出し、また、新規ディスク収納通知を前記システム制御部より入力するデータ管理部、
　前記システム制御部から送られた収納ディスクに関するデータを表示する表示部、
　使用者の指令を前記システム制御部に送っているデータ入力部、及び
　前記データ管理部から新規データの取得要求を受けて、前記ホスト局への通信回線接続を行い、前記ホスト局に存在し、市場に流通しているディスクに関するデータが蓄積されているデータベースにアクセスし、前記データ管理部から要求された新規データを取得し、前記データメモリーに蓄積する通信制御部と、を備え、
　前記データ入力部から、新しいディスクの収納作業指令が前記システム制御部に入力されると、前記システム制御部は、まず前記ディスク収納部を制御して新しいディスクを前記ディスク再生部に装着し、次に前記ディスク再生部を制御してディスクにあらかじめ記録されているＩＤコードを読み取り、そのディスクの収納番号を新規ディスク収納作業中であることの通知と共に前記データ管理部に送り、
　前記データ管理部では、受け取ったＩＤコードを前記通信制御部に送り、前記通信制御部に対して新規データ取得を指令し、
　前記通信制御部は通信回線の接続操作を行って、前記ホスト局への通信経路を確立し、前記ホスト局に前記のＩＤコードを送ることによって、前記データベースから新しいディスクに関するデータを受け取って前記データ管理部に送り、
　前記データ管理部は、前記通信制御部から受け取ったデータと、前記システム制御部から受け取った収納番号を前記データメモリーに追加記録するようにした、
　ＣＤ等の光ディスク再生機のオートチェンジャー装置。」
　
（２）第２引用例
　また、同じく、前記前置審査における拒絶理由通知で引用された、本願出願前に頒布された刊行物である、特開平９−４４５１１号公報（平成９年２月１４日出願公開。以下、「第２引用例」という。）には、図面とともに次の技術事項が記載されている。
　
（ｆ）
「【０００１】
【発明の属する技術分野】本発明は、音声や音楽等のオーディオ情報、カメラやビデオ機器等から得られる映像情報、及びパーソナルコンピュータやワードプロセッサ等から得られるディジタルコードデータ、等を含めた所謂マルチメディア情報を光学的に読み取り可能な２次元コードとして記録した紙等の情報記録媒体、及びそのような情報記録媒体から上記コードを光学的に読み取って元のマルチメディア情報を再生する情報再生装置に関する。」
　
（ｇ）
「【０００９】
【課題を解決するための手段】上記の目的を達成するために、本発明による情報再生装置は、オーディオ情報、映像情報、ディジタルコードデータの少なくとも一つを含むマルチメディア情報が光学的に読み取り可能なコードで記録されている部分を備える記録媒体から、該コードを光学的に読み取る読取手段と、該読取手段で読み取ったコードを処理して元のマルチメディア情報として出力する出力手段とを備えた情報再生装置であって、特に、上記記録されたマルチメディア情報乃至はこれに関連した別のマルチメディア情報を格納するデータベース記憶部と、上記読取手段が読み取った上記記録媒体上のコード中に上記データベース記憶部から所定のマルチメディア情報の読み出しを指示するための読み出し命令コードが含まれていることを検出したとき、当該読み出し命令コードに対応したマルチメディア情報も上記データベース記憶部より読み出して出力するように制御する再生制御手段とを備えることを特徴とする。」
　
（ｈ）第２の実施形態について以下の記載がある。図２（Ｂ）はその構成図、図４のような処理を行うものである。
「【００４２】即ち、まずシステム内のデータベースからデータを読み出そうとする。このとき、データベース中に目的とするデータが存在しなかったとすると（ステップＳ４０）、コード中にさらに記録されていた外部のデータベースへアクセスを行おうとする。つまり、コード中にはデータベースからＡＢＣ＿２をアクセスし、アクセスできなかった場合の前記データの記録されている外部データベースへのアクセス方法がエラー処理方法として記述されている。外部へのアクセスの際には、まず、その外部データベースへのアクセスの権限があるかどうかをチェックし（ステップＳ４２）、アクセス可能であれば、そのデータベースより読み出し命令コードに対応するＡＢＣ＿２の情報を読み出すようになっている。この場合、読み出したデータは後の再利用の可能性もあるので、システム内のデータベース（ディスクユニット２８）にＡＢＣ＿２というファイル名で一旦記憶させる（ステップＳ４４）。
【００４３】そして、再びそのデータベースからデータを読み出して（ステップＳ４６）、サブセットＳＳ（Ｃ）と合成し、再生タイミング等のマルチメディア制御情報を生成して（ステップＳ４８）、出力装置２４によりマルチメディア情報として再生出力する（ステップＳ５０）。
【００４４】また、上記ステップＳ４２において、外部データベースへのアクセスの権限がない場合には、上記第１の実施の形態におけるステップＳ１６と同様に、読み取られたサブセットＳＳ（Ｃ）のみで通常再生を行う（ステップＳ５２）。
【００４５】上記ステップＳ４４におけるデータの取得つまりダウンロードは、図３の（Ｂ）に示すようにして行われる。まず、モデム３４に対してコントロール信号を送って初期化等を行った後（ステップＳ６０）、アクセス先へ電話回線での接続を行い、通信者のＩＤやパスワード等の情報も自動で送信し、データベースへの接続を行う（ステップＳ６２）。その後、必要なデータのダウンロードのためのコマンドを送信し、データを入手する（ステップＳ６４）。そして、必要に応じてデータの変換を行う（ステップＳ６６）。これは例えば、データが圧縮形式であったり、特殊なフォーマットが使用されていたりした場合に必要となる。こうして得られたデータを再生側のシステム内のデータベースへ記録する（ステップＳ６８）。もちろん、このシステム内のデータベースへの記録は、後の再使用のためであるので、一時利用に限るのであれば、記録しないでそのまま再生を行っても構わない。
【００４６】また、ここで、外部データベースとしては、ローカルネットワークがさらに外部のネットワークとも接続されている場合は、そのネットワーク上のいずれのデータベースであっても構わない。これは例えば、コード中にアクセス方法として、情報の記録されているコンピュータシステムのネットワーク上のアドレス及びアクセスすべきファイル名が記録されていれば良い。この場合のファイル名は、インターネット上のＵＲＬ（Uniform Resource Locator）のようなものであって、ネットワークで接続されているデータの所在を特定するアドレスと、必要ならば通信のプロトコル、マシン名等も加えたファイル名である。装置構成としては、モデム３４を介して前述したようなネットワーク環境を提供するいわゆるインターネットプロバイダ（ＩＰ接続プロバイダと呼ばれる場合もある）に接続することになる。もちろん、直接イーサネットケーブルで接続されていれば、モデム３４等は必要ない。
【００４７】この方式でアクセスした場合は、物理的にネットワーク接続されている外国の装置からであってもデータを取得することが可能となる。このアクセス方式の別の使い方として以下のようものがある。
【００４８】即ち、ネットワーク上のある特定の情報を直接アクセスする場合、家庭等のコンピュータからデータのアドレスを指定してアクセスするのは複雑である。近年ネットワーク上のデータのブラウザも使い易いものが出てきているが、まだまだ素人には難しいものとなっている。そこで、ドットコードを読み取ったコンピュータがコード中の情報に基づき、自動でネットワーク上のデータにアクセスできるようにする。」
　
　
３．対　比
　本願発明と引用発明とを対比する。
　引用発明における「ＣＤ等の光ディスク」は、記録された情報を再生するための記録媒体である点において、本願発明における「情報再生媒体」と共通する。
　引用発明における「オートチェンジャー装置」は、ディスクを再生する装置であるから、その点に限り、本願発明における「情報再生装置」と共通する。
　引用発明のオートチェンジャー装置が「ホスト局と通信回線で信号の入出力ができる」ことは、本願発明の情報再生装置が、「情報通信可能」であることに相当する。
　引用発明が、ＣＤ等の光ディスク再生機を備えるものであるから、引用発明の「ディスク再生部」に「ピックアップ」が備わっていることは自明な事項である。
　また、引用発明において「新しいディスクの収納作業指令が前記システム制御部に入力されると、前記システム制御部は、まず前記ディスク収納部を制御して新しいディスクを前記ディスク再生部に装着し、次に前記ディスク再生部を制御してディスクにあらかじめ記録されているＩＤコードを読み取り」との動作が行われることは、本願発明において「前記情報再生媒体がセットされると、そのセットされた情報再生媒体に記憶されている情報を読み取る読取手段としてのピックアップ」を備えることに相当する。
　引用発明における、
「前記ディスク再生部を制御してディスクにあらかじめ記録されているＩＤコードを読み取り、そのディスクの収納番号を新規ディスク収納作業中であることの通知と共に前記データ管理部に送り、
　前記データ管理部では、受け取ったＩＤコードを前記通信制御部に送り、前記通信制御部に対して新規データ取得を指令し、
　前記通信制御部は通信回線の接続操作を行って、前記ホスト局への通信経路を確立し、前記ホスト局に前記のＩＤコードを送ることによって、前記データベースから新しいディスクに関するデータを受け取って前記データ管理部に送り、
　前記データ管理部は、前記通信制御部から受け取ったデータと、前記システム制御部から受け取った収納番号を前記データメモリーに追加記録する」
との動作は、本願発明の「関連情報取得手段」の動作と対比すると、「自動的に」、「前記情報再生媒体に関連する関連情報を取得する」点で共通している。したがって、前記共通している点に限り、ディスク再生部、データ管理部、及び通信制御部は、協働して、本願発明の「関連情報取得手段」に対応する手段として機能しているとすることができる。
　
　そうすると、本願発明と引用発明とは、次の点で一致する。
　一致点
「情報通信可能とされ、セットされる情報再生媒体を再生する情報再生装置であって、
　前記情報再生媒体がセットされると、そのセットされた情報再生媒体に記憶されている情報を読み取る読取手段としてのピックアップと、
　自動的に前記情報再生媒体に関連する関連情報を取得する関連情報取得手段と、を備える情報再生装置。」
　
　一方、次の各相違点で相違する。
（相違点１）
　本願発明の情報再生装置においては、「インターネットを介して、一又は複数の情報サーバと」情報通信可能とされているのに対し、引用発明は、「データベースを有するホスト局と通信回線で信号の入出力ができる」とされている点。
（相違点２）
　本願発明の情報再生装置が再生する情報再生媒体は、「情報記憶領域に、前記情報サーバ内に備えられ複数の情報再生媒体にも共通して関連する関連情報を有するホームページのアドレス情報が記憶された」ものであるのに対し、引用発明のディスクにおいては、特にそのような事項について記載がない点。
（相違点３）
　本願発明においては、「前記ピックアップにより前記情報再生媒体から情報が読み取られると、読み取られた前記情報の中から、前記アドレス情報を取得するアドレス情報取得手段」を有するのに対し、引用発明においては、特にそのような事項について記載がない点。
（相違点４）
　本願発明の「関連情報取得手段」は、「前記アドレス情報取得手段で前記アドレス情報が取得されると、当該アドレス情報に基づいて、前記インターネットを介して前記情報サーバに備えられている前記ホームページに自動的にアクセスすることにより、前記ホームページから」前記情報再生媒体に関連する関連情報を取得するのに対し、引用発明においては、ホスト局に存在するデータベースから自動的に新しいディスクに関するデータを受け取るものである点。
　
　
４．判　断
　そこで、上記各相違点について検討する。
（１）相違点１について
　第２引用例は、「情報再生装置」に関するものであって、引用発明のＣＤ等の光ディスク再生機のオートチェンジャー装置と同様の技術分野に属するものである。
　第２引用例に記載された情報再生装置は、第４６段落（上記摘記部分（ｈ）参照。）の記載からすると、インターネットを介して「外部データベース」へアクセスすることができるものである。インターネット上のデータベースが情報サーバに格納されることは普通のことにすぎない。
　インターネットを介してデータ通信を行うことが本件出願当時既に周知の事項にすぎないものであったことも併せて考えると、引用発明において、通信回線を介してホスト局に存在するデータベースにアクセスすることに代えて、第２引用例に記載されるように、インターネットを介して情報サーバと情報通信するようにすることは当業者が容易に想到しうるものである。
　
（２）相違点２について
　同じく第２引用例を参照すると、前記「外部データベース」について、第９段落（上記摘記部分（ｇ）参照。）に「上記記録されたマルチメディア情報乃至はこれに関連した別のマルチメディア情報を格納する」ものであると記載されている。すなわち、前記外部データベースは、情報記録媒体に記録された情報の関連情報を有するものである。
　また、第２引用例に記載された情報再生装置は、「オーディオ情報、映像情報、ディジタルコードデータの少なくとも一つを含むマルチメディア情報が光学的に読み取り可能なコードで記録されている部分を備える記録媒体」からコードを光学的に読み取るものであるから、前記記録媒体は、「コード」の記録された「情報記録領域」を備えていることは自明である。
　すると、第２引用例の第４６段落に、「コード中にアクセス方法として、情報の記録されているコンピュータシステムのネットワーク上のアドレス及びアクセスすべきファイル名が記録されていれば良い。この場合のファイル名は、インターネット上のＵＲＬ（Uniform Resource Locator）のようなものであって、ネットワークで接続されているデータの所在を特定するアドレスと、必要ならば通信のプロトコル、マシン名等も加えたファイル名である。」とあることから明らかなように、当該記録媒体は、「情報記憶領域に」、「前記情報サーバ内に備えられ、情報再生媒体に、関連する関連情報のアドレス情報が記憶された」ものであるとすることができる。
　データベースは、多数の情報を集積して構築することが普通であるから、前記外部データベースが「複数の情報再生媒体に共通して関連する」関連情報を有することとすることは、前記のように多数の情報を集積した結果としてごく自然なことにすぎない。因みに、引用発明においても、データベースは、ディスクのＩＤコードに対応したデータを送り返すためには、複数のディスクに関連する関連情報を保有する必要があることが明らかである。
　また、インターネット上のＵＲＬとして、アクセスするホームページのアドレスとすることもインターネットにおいては周知の事項にすぎない。
　引用発明では「ディスクにあらかじめ記録されているＩＤコードを読み取り」、「ホスト局に前記のＩＤコードを送ることによって、データベースから新しいディスクに関するデータを受け取って」とあるように、外部データベースから新しいディスクに関するデータを獲得するための情報であるＩＤコードがディスク自体に記録されていることを前提とするものであるから、相違点１について検討したように、第２引用例に記載された発明を適用して、インターネットを介して、一又は複数の情報サーバと情報通信可能とする際には、光ディスクについても、ディスクに関するデータを獲得するための情報として第２引用例に記載される記録媒体に関する事項を適用して、「情報記憶領域に、前記情報サーバ内に備えられ複数の情報再生媒体にも共通して関連する関連情報を有するホームページのアドレス情報が記憶された」ものとすることは、当業者が容易に想到しうるものである。
　
（３）相違点３について
　同じく、第２引用例に記載された情報再生装置は、ＵＲＬがその中に記録されたコードを光学的に読み取る読取手段を備え、当該ＵＲＬに基づいてデータベースへアクセスするものであるから、読み取られたコードからＵＲＬを取得するものであることが明らかである。
　相違点２について検討したように、引用発明において、情報再生媒体にアドレス情報を記録することは当業者が容易に想到しうるものであるから、「新しいディスクをディスク再生部に装着し、次にディスク再生部を制御してディスクにあらかじめ記録されているＩＤコードを読み取り」との動作の際に、第２引用例に記載された情報再生装置のように、読み取った情報から前記アドレス情報を取得するように動作させることは、当業者が容易に想到しうるものにすぎない。
　
（４）相違点４について
　第２引用例の第４５、４６段落の記載からすると、たとえばＵＲＬによって、ネットワーク上のアドレス及びアクセスすべきファイル名等を取得すると、インターネットを介して当該ＵＲＬに基づいてデータを取得することが記載されている。ＵＲＬが特定のホームページを示す情報であることはインターネット上のデータにおいては普通のことにすぎない。
　すると、第２引用例の上記記載事項に基づいて、引用発明において、「前記アドレス情報取得手段で前記アドレス情報が取得されると、当該アドレス情報に基づいて、前記インターネットを介して前記情報サーバに備えられている前記ホームページに自動的にアクセスすることにより、前記ホームページから」前記情報再生媒体に関連する関連情報を取得するようにすることは当業者が容易に想到しうるものである。
　
　以上のことからすると、相違点１乃至相違点４としてあげた事項は、第２引用例に記載された発明を引用発明に適用することにより、周知事項も参酌して当業者が容易に想到しうるものであって、その作用効果も当業者が予測しうるものにすぎない。
　すると、本願発明は引用発明、及び第２引用例に記載された発明に基づいて、周知事項も参酌して当業者が容易に発明をすることができたものである。
　
　
５．むすび
　以上のとおりであって、本願の請求項１に係る発明は、第１引用例及び第２引用例に記載された発明に基づいて、周知事項も参酌して当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。